(57)【特許請求の範囲】
【請求項１】
共に矩形トレイ状の底部材と蓋部材とを、これら底部材及び蓋部材の内面側に突設された複数組のボスの凹凸嵌合と、該底部材の側壁部側に設けられた鉤型の係止部と該蓋部材の側壁部側に設けられた鉤型の係止部の嵌合によって組み立ててなるケースであって、該ケースの一コーナー部にキャップを回動自在に枢着し、該キャップの両側面側に設けたリブが前記底部材及び蓋部材の内面側に形成した突起によって開閉自在に掛止され、該キャップの外面上の一端側に突設された突出部が前記底部材及び蓋部材の側壁部に当接されることで、回動が規制され、該底部材の側壁部から該コーナー近くまで隔壁リブが突設されていることを特徴とする回動キャップ付ケース。
【請求項２】
前記底部材と蓋部材の内面側に形成する突起とキャップ両側面側に設けるリブを複数にし、キャップを任意の位置で掛止できるようにしたことを特徴とする請求項１に記載の回動キャップ付ケース。
【請求項３】
前記底部材あるいは蓋部材の側壁部側に設ける係止部を略ケース長辺全体にわたって設けたことを特徴とする請求項１または２に記載の回動キャップ付ケース。
【発明の詳細な説明】
【０００１】
【発明の属する技術分野】
本発明は清涼用粒状物、粒状菓子、錠菓等を入れて小出し使用する携帯用のケースに関するものである。
【０００２】
【従来の技術】
清涼用粒状物等を入れて小出し使用するためのケースとしては、例えば、ケース本体に設けた小出し用の孔をスライド自在の蓋によって開閉するようにしたものが従来から知られている。
【０００３】
【発明が解決しようとする課題】
スライド蓋によって小出し用孔を開閉するようにした従来のケースでは、構造上孔を側壁部に設けることが難しいため、ケース内の粒状物が少なくなると、粒状物を出しにくくなり、使用性も十分でない。
また、使用時には不快な擦れ音がしたり、開け方がわかりにくいものがある。
本発明は上記問題点に鑑みてなされたものであって、使用性のよい粒状物用の小出しケースを得ることを目的とするものである。
【０００４】
【課題を解決するための手段】
本発明は、以上のような課題を解決するため、次のような回動キャップ付ケースを提供するものである。すなわち、共に矩形トレイ状の底部材と蓋部材とを、これら底部材及び蓋部材の内面側に突設された複数組のボスの凹凸嵌合と、該底部材の側壁部側に設けられた鉤型の係止部と該蓋部材の側壁部側に設けられた鉤型の係止部の嵌合によって組み立ててなるケースであって、該ケースの一コーナー部にキャップを回動自在に枢着し、該キャップの両側面側に設けたリブが前記底部材及び蓋部材の内面側に形成した突起によって開閉自在に掛止され、該キャップの外面上の一端側に突設された突出部が前記底部材及び蓋部材の側壁部に当接されることで、回動が規制され、該底部材の側壁部から該コーナー近くまで隔壁リブが突設されていることを特徴とする回動キャップ付ケースである。そして、前記底部材と蓋部材の内面側に形成する突起とキャップ両側面側に設けるリブを複数にし、キャップを任意の位置で掛止できるようにし、前記底部材あるいは蓋部材の側壁部側に設ける係止部を略ケース長辺全体にわたって設けたことを特徴とするものである。
【０００５】
【発明の実施の形態】
以下、本発明の実施の形態を図面に基づいて説明する。
図１は本発明の回動キャップ付ケースの全体斜視図であり、図２は蓋部材の平面図、図３は同じくＸ−Ｘ断面図である。
また、図４は底部材の平面図、図５は同じくＹ−Ｙ断面図であり、図６は蓋部材と底部材の側壁部側の係止部の嵌合を示す拡大断面図、図７は蓋部材と底部材のボス部を示す拡大断面図である。
図８はキャップの斜視図、図９は同じく平面図であり、図１０はキャップが閉まった状態を示す説明図、図１１は同じく開いた状態を示す説明図である。
なお、本発明は、図示の実施例に限定されるものではなく、本発明の精神の範囲内において適宜設計変更可能なものである。
【０００６】
まず、最初に、図１で示す斜視図をもとに本発明を簡単に説明する。
この図１で示すように、本発明の回動キャップ付ケース（Ａ）は矩形のトレイ状の蓋部材（１０）と、略同形の底部材（３０）とを組み立ててなるものであって、ケース（Ａ）の一コーナー部には、キャップ（５０）が回動自在に枢着されている。
これら蓋部材（１０）、底部材（３０）及びキャップ（５０）は、ポリプロピレン、ポリエチレン、ポリスチレン等の熱可塑性樹脂を用いて所定形状に成形することにより得ることができる。
蓋部材（１０）と底部材（３０）には、後述するように、内面側に複数組のボスが突設されており、側壁部（１１）（３１）側には、係止部が設けられている。
そして、これらボスの嵌合と係止部の嵌合により、ケース（Ａ）が組み立てられるようになっている。
また、キャップ（５０）は、開閉操作が回動式であり、後述するように、蓋部材（１０）と底部材（３０）にそれぞれ形成された突起に、キャップ両側面側に設けられたリブが掛止されて開閉自在になっている。
図１では、キャップ（５０）が閉じた状態で示されているが、このように、キャップ（５０）をケース（Ａ）の肩部、即ち一コーナー部に設けると、片手でスムーズにキャップの開閉操作ができ、清涼用粒状物等の内容物を振り出す際の使用性がきわめてよくなるものである。
【０００７】
次に、このようなケース（Ａ）の蓋部材（１０）と底部材（３０）を詳細に説明する。
図２、図３で示すように、蓋部材（１０）のキャップ部分を除く側壁部（１１）の端縁内面側には、段上げ部（１２）が形成されており、その段上げ部（１２）の数箇所に、図６で示すような鉤型の係止部（１３）が設けられている。図２では振り出し口側ではないケース長辺に３つ、振り出し口側のケース長辺に２つ配設されている。
キャップ部分である蓋部材（１０）の一コーナー部（１４）は、図２の正面視で略四半円をなす円弧状に形成され、その四半円を描く略中心の位置にキャップ（５０）が枢着されるための背低な丸ピン（１５）が突設されている。
そして、その丸ピン（１５）の斜め上方、即ちコーナー部（１４）側には先端を丸くしてある突起（１６）（１７）が形成されており、キャップ側面（５１）側に設けられたリブ（６１）が掛止されるようになっている。
【０００８】
また、蓋部材（１０）の内面周辺部には、底部材（３０）の凹穴付きボスに嵌合するボスが複数（図示のものは５つ）突設されている。
第１乃至第３ボス（２１）（２２）（２３）は、ケース（Ａ）のキャップ部分の一コーナー部（１４）を除く各コーナー部に設けられており、第４ボス（２４）は、コーナー部（１４）近傍のケース長辺側に設けられており、第５ボス（２５）はコーナー部（１４）近傍のケース短辺側に設けられている。
なお、各ボス（２１）（２２）（２３）（２４）（２５）は、図７で示すように内部が空洞で、先端が円錐台状に形成されている。
また、図３で示すように、各ボスは側壁部（１１）よりも高く突設されている。
その他、蓋部材（１０）の下方側中央には丸く窪んでいるゲート（２０）が形成されている。
【０００９】
一方、図４、図５で示すように、底部材（３０）のキャップ部分を除く側壁部（３１）の端縁内面側には、前記段上げ部（１２）と嵌合される段下げ部（３２）が形成されており、更に略ケース長辺全体にわたって、前記係止部（１３）と嵌合する鉤型の係止部（３３）が設けられている。
このように、ケース長辺の略全体にわたって係止部（３３）が設けられていると、前記係止部（１３）を設ける位置を任意に設定することができ、係止部（１３）と係止部（３３）のかみ合わせを調整することができる。
キャップ部分である底部材（３０）の一コーナー部（３４）は、図４の正面視で略四半円をなす円弧状に形成され、その四半円を描く略中心の位置にキャップ（５０）が枢着されるための背低な丸ピン（３５）が突設されている。
また、その丸ピン（３５）の斜め上方、即ちコーナー部（３４）側には先端を丸くしてある突起（３６）（３７）が形成されており、キャップ側面（５２）側に設けられたリブ（６２）が掛止されるようになっている。
【００１０】
また、底部材（３０）の内面周辺部には、第１乃至第５凹穴付きボス（４１）（４２）（４３）（４４）（４５）が突設され、前記各第１乃至第５ボス（２１）（２２）（２３）（２４）（２５）とそれぞれ対応して嵌合するようになっている。
なお、この凹穴付きボスは、図７で示すように入口側がテーパー状に拡がっており、前記各ボス（２１）（２２）（２３）（２４）（２５）との嵌合がしやすくなっている。
また、図５で示すように、側壁部（３１）はある程度の高さを有しており、各凹穴付きボスは側壁部（３１）よりも低く、前記段下げ部（３２）までの高さと略同じ高さに突設されている。
【００１１】
また、図４で示すように、第１凹穴付きボス（４１）から第４凹穴付きボス（４４）に向かって隔壁リブ（３８）が所定長さ突設されている。
この隔壁リブ（３８）は、底部材（３０）の内面から側壁部（３１）の段下げ部（３２）までの高さと略同じ高さ、即ち前記凹穴付きボスと同じ高さを有しており、ケース内の粒状物が小出しされるように、言い換えると必要以上に振り出されるのを防止するように、振り出し口近くまで延設されている。
なお、隔壁リブ（３８）は、粒状物が定量的に小出しされるようにするものであれば、どのように突設してもよく、図示のものに限定されるものではない。
その他、底部材（３０）の下方側中央には前記蓋部材（１０）と同様に丸く窪んでいるゲート（４０）が形成されている。
【００１２】
次にキャップ（５０）について説明する。
図８、図９で示すように、このキャップ（５０）の円弧状の側面（５１）（５２）は、略１／３円をなす段差部（５３）（５４）を有しており、キャップ外面（５５）は、その段差部（５３）（５４）の部分にわたって設けられている。
また、この外面（５５）上の一端側にはキャップ開閉時に指がかけられるように突出部（５６）が突設されている。
また、キャップ両側面（５１）（５２）の中心付近には円弧状の段下げ部（５７）（５８）が形成されており、更にその中心には前記丸ピン（１５）（３５）と嵌合する孔（５９）（６０）が穿設されている。
そして、その段下げ部（５７）（５８）上には、前記突起（１６）（１７）、（３６）（３７）にそれぞれ掛止するリブ（６１）（６２）が突設されている。このリブ（６１）（６２）は、側面（５１）（５２）より突出しない程度の高さを有しており、孔（５９）（６０）側、即ち円の中心側の先端が丸く弧状に形成され、反対側が段下げ部（５７）（５８）の周縁に当接するように一体的に設けられている。
【００１３】
図１０、図１１はそれぞれキャップが閉まっているとき、開いているときの状態を示す説明図であり、底部材（３０）にキャップ（５０）を枢着した様子を示している。
この図で示すように、突起（３６）（３７）はリブ（６２）の回動軌道上に設けられているものであって、キャップ（５０）が閉じているときには突起（３６）に、キャップ（５０）が開いているときには突起（３７）にリブ（６２）が掛止し、キャップが勝手に回動しないようになっている。
つまり、リブ（６２）はキャップ（５０）が回動するとき、両方の突起（３６）（３７）を乗り越えて回動し、突起（３６）（３７）によって、キャップ（５０）を開、閉それぞれの位置に掛止させるようになっているのである。
したがって、使用時以外は勝手にキャップが回動して振り出し口が開かないようになっているし、キャップ（５０）を開けてケースから粒状物を振り出している際にも、勝手にキャップ（５０）が閉まるようなことはない。
なお、突起とリブの数は、図示のものに限定されるものではなく、複数設ければ、不用意にキャップが回動することを更に防ぐことができるし、キャップを任意の位置に掛止させることができる。
【００１４】
本発明のケースは、以上のような蓋部材（１０）、底部材（３０）、キャップ（５０）をそれぞれ熱可塑性樹脂で射出成形し、複数組のボスの嵌合及び側壁部側の係止部の嵌合によって組み立ててなるものであり、ピン（１５）（３５）にセットされたキャップ（５０）の外面（５５）を蓋部材（１０）及び底部材（３０）のコーナー部（１４）（３４）の形状に合わせたものである。
そして、そのピン（１５）（３５）を中心にキャップ（５０）が回動することによって、清涼用粒状物等の内容物が振り出されるようにしたため、振り出し口や振り出し方が一目でわかり、操作性がきわめてよいものである。
【００１５】
以上のように、本発明の回動キャップ付ケースによれば、片手で簡単に開閉操作ができるので、携帯性、使用性に優れ、操作感も非常によい。
また、キャップを開閉するとき、リブの表面を緩やかな弧状面とすると、リブが突起を乗り越えやすくなり、キャップの開閉が最少の力で容易に行うことができる。
なお、使用に際しては、リブが開、閉それぞれの位置等で突起に掛止されるため、キャップ自体が不用意に開くことはなく、また、ケース内から内容物を振り出すときには、キャップを開いて振り出し口を下にしても、キャップが勝手に閉まるようなことはない。
また、キャップや隔壁リブによって、１回の振り出し量が規制されるようになっているため、必要以上に内容物が振り出されることはなく、定量的に小出しすることができるし、最後の１粒まで簡単に振り出すことができる。
また、底部材に設ける係止部が略ケース長辺全体にわたって設けられているので、蓋部材に設ける係止部の配設位置を任意に設定することができる。
なお、蓋部材及び底部材の側壁部に設ける係止部の形状を逆にしてもよく、また、その側壁部を係止嵌合するのではなく、超音波シールしてケースを組み立てるようにしてもよい。
【００１６】
【発明の効果】
本発明によれば、部品点数が少なく、低コストで、しかも組み立て性、携帯性及び使用性に優れた粒状物等の小出し用ケースが得られる。
特に、回動式のキャップをケース肩部に設けたので、開閉操作がきわめて容易にでき、操作感も非常によい。
また、突起とリブを複数設ければ、キャップが不用意に開くことを更に防止することができるし、キャップを任意の位置に掛止させることができる。
そして、振り出し口を下にしてケース内から内容物を振り出すときにも、キャップが勝手に閉まるようなことを防止することができる。
また、側壁部に設ける係止部が略ケース長辺全体にわたって設けられていると、それとかみ合わせる別の側壁部に設ける係止部の配設位置を任意に設定することができる。
【図面の簡単な説明】
【図１】本発明のケースを示す全体斜視図
【図２】蓋部材の平面図
【図３】同上のＸ−Ｘ断面図
【図４】底部材の平面図
【図５】同上のＹ−Ｙ断面図
【図６】蓋部材と底部材の側壁部側の係止部の嵌合を示す拡大断面図
【図７】蓋部材と底部材のボス部を示す拡大断面図
【図８】キャップの斜視図
【図９】キャップの平面図
【図１０】キャップが閉じたときの状態を示す説明図
【図１１】キャップが開いたときの状態を示す説明図
【符号の説明】
Ａ  ケース
１０  蓋部材
１１  側壁部
１２  段上げ部
１３  係止部
１５  ピン
１６  突起
１７  突起
３０  底部材
３１  側壁部
３２  段下げ部
３３  係止部
３５  ピン
３６  突起
３７  突起
３８  隔壁リブ
５０  キャップ
５１  側面
５２  側面
５６  突出部
６１  リブ
６２  リブ
【図１】
0003685868.tif 000002
【図２】
0003685868.tif 000003
【図３】
0003685868.tif 000004
【図４】
0003685868.tif 000005
【図５】
0003685868.tif 000006
【図６】
0003685868.tif 000007
【図７】
0003685868.tif 000008
【図８】
0003685868.tif 000009
【図９】
0003685868.tif 000010
【図１０】
0003685868.tif 000011
【図１１】
0003685868.tif 000012